【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
複数のピクセルを有するディスプレイを含むコンピューティングシステムにおいて、各ピクセルごとの複数のピクセルサブコンポーネントを含む前記ディスプレイの一部分の上にオブジェクトをレンダリングするための方法であって、前記複数のピクセルサブコンポーネントは所定の方向に沿ってストライプされ、前記オブジェクトがストライピング方向と平行な空間周波数ドミナンスを有していても、サブコンポーネントベースのサンプリングによる向上した解像度を利用する前記方法は、
前記オブジェクトが第１の方向に空間周波数ドミナンスを有すると判定する動作であって、前記第１の方向は実際のストライピング方向と平行である、判定する動作と、
前記ストライピング方向は前記実際のストライピング方向に対して直角をなすと仮定して、ピクセルサブコンポーネントベースのサンプリングを実行する動作と、
少なくとも前記オブジェクトの前記サンプリングされた表現のデリバティブを、前記実際のストライピング方向を有する前記ディスプレイ上にレンダリングする動作と
を備えることを特徴とする方法。
【請求項２】
前記オブジェクトはテキスト文字であることを特徴とする請求項１に記載の方法。
【請求項３】
前記テキスト文字はラテン語ベースのテキスト文字であることを特徴とする請求項２に記載の方法。
【請求項４】
前記テキスト文字は中国語起源の象形文字であることを特徴とする請求項２に記載の方法。
【請求項５】
前記テキスト文字は中国語起源の象形文字の部首であることを特徴とする請求項２に記載の方法。
【請求項６】
前記オブジェクトはテキスト文字でないことを特徴とする請求項１に記載の方法。
【請求項７】
前記オブジェクトが第１の方向に空間周波数ドミナンスを有すると判定する前記動作は、
一連のオブジェクト群における前記オブジェクト群が前記第１の方向に空間周波数ドミナンスを有する傾向にあると判定する動作と、
前記オブジェクトが前記一連のオブジェクト群における前記オブジェクト群のうちの１つであると判定する動作と
を含むことを特徴とする請求項１に記載の方法。
【請求項８】
前記オブジェクトは第１のオブジェクトであり、前記方法は、
前記第１のオブジェクトに隣接する、表示されることになる第２のオブジェクトが、第２の方向に空間周波数ドミナンスを有すると判定する動作であって、前記第２の方向は前記実際のストライピング方向に対して直角をなす、判定する動作と、
前記ストライピング方向は前記実際のストライピング方向と平行であると仮定して、サブコンポーネントベースのサンプリングを実行する動作と、
少なくとも前記第２のオブジェクトの前記サンプリングされた表現のデリバティブを、前記実際のストライピング方向を有する前記ディスプレイ上にレンダリングする動作と
をさらに備えることを特徴とする請求項１に記載の方法。
【請求項９】
前記第１のオブジェクトおよび前記第２のオブジェクトは、同じ中国語の象形文字の部分であることを特徴とする請求項８に記載の方法。
【請求項１０】
前記ストライピング方向は垂直方向であることを特徴とする請求項１に記載の方法。
【請求項１１】
前記ストライピング方向は水平方向であることを特徴とする請求項１に記載の方法。
【請求項１２】
前記ディスプレイ内の前記ピクセルのすべてが、前記ストライピング方向にストライピングを有することを特徴とする請求項１に記載の方法。
【請求項１３】
前記ストライピング方向は前記実際のストライピング方向に対して直角をなすと仮定して、ピクセルサブコンポーネントベースのサンプリングを実行する前記動作は、
前記オブジェクトの表現を回転する動作と、
前記実際のストライピング方向を仮定して、前記オブジェクトの前記回転した表現に対してサブコンポーネントベースのサンプリングを実行する動作と、
前記オブジェクトの前記サンプリングされた表現を元の向きに回転する動作と
を含むことを特徴とする請求項１に記載の方法。
【請求項１４】
前記ストライピング方向は前記実際のストライピング方向に対して直角をなすと仮定して、ピクセルサブコンポーネントベースのサンプリングを実行する前記動作は、
前記サンプリングされた値をピクセルサブコンポーネントにマッピングする動作
をさらに含むことを特徴とする請求項１３に記載の方法。
【請求項１５】
複数のピクセルを有するディスプレイを含むコンピューティングシステムにおいて使用するためのコンピュータプログラムであって、前記コンピュータプログラムは、各ピクセルごとの複数のピクセルサブコンポーネントを含む前記ディスプレイの一部分の上にオブジェクトをレンダリングするための方法を実行し、前記複数のピクセルサブコンポーネントは所定の方向に沿ってストライプされ、前記オブジェクトがストライピング方向と平行な空間周波数ドミナンスを有していても、前記方法はサブコンポーネントベースのサンプリングによる向上した解像度を利用し、前記コンピュータプログラムは、前記コンピューティングシステムの１つまたは複数のプロセッサによって実行されるときに、
前記オブジェクトが第１の方向に空間周波数ドミナンスを有すると判定する動作であって、前記第１の方向は実際のストライピング方向と平行である、判定する動作と、
前記ストライピング方向は前記実際のストライピング方向に対して直角をなすと仮定して、ピクセルサブコンポーネントベースのサンプリングを実行する動作と、
少なくとも前記オブジェクトの前記サンプリングされた表現のデリバティブを、前記実際のストライピング方向を有する前記ディスプレイ上にレンダリングする動作と
を前記コンピューティングシステムに実行させるコンピュータ実行可能命令を備えたことを特徴とするコンピュータプログラム。
【請求項１６】
前記オブジェクトはテキスト文字であることを特徴とする請求項１５に記載のコンピュータプログラム。
【請求項１７】
前記テキスト文字はラテン語ベースのテキスト文字であることを特徴とする請求項１６に記載のコンピュータプログラム。
【請求項１８】
前記テキスト文字は中国語起源の象形文字であることを特徴とする請求項１６に記載のコンピュータプログラム。
【請求項１９】
前記テキスト文字は中国語起源の象形文字の部首であることを特徴とする請求項１６に記載のコンピュータプログラム。
【請求項２０】
前記オブジェクトはテキスト文字でないことを特徴とする請求項１５に記載のコンピュータプログラム。
【請求項２１】
前記オブジェクトが第１の方向に空間周波数ドミナンスを有すると判定する前記動作は、
一連のオブジェクト群における前記オブジェクト群が前記第１の方向に空間周波数ドミナンスを有する傾向にあると判定する動作と、
前記オブジェクトが前記一連のオブジェクト群における前記オブジェクト群のうちの１つであると判定する動作と
を含むことを特徴とする請求項１５に記載のコンピュータプログラム。
【請求項２２】
前記オブジェクトは第１のオブジェクトであり、前記コンピュータプログラムは、前記コンピューティングシステムの１つまたは複数のプロセッサによって実行されるときに、
前記第１のオブジェクトに隣接する、表示されることになる第２のオブジェクトが、第２の方向に空間周波数ドミナンスを有すると判定する動作であって、前記第２の方向は前記実際のストライピング方向に対して直角をなす、判定する動作と、
前記ストライピング方向は前記実際のストライピング方向と平行であると仮定して、サブコンポーネントベースのサンプリングを実行する動作と、
少なくとも前記第２のオブジェクトの前記サンプリングされた表現のデリバティブを、前記実際のストライピング方向を有する前記ディスプレイ上にレンダリングする動作と
を前記コンピューティングシステムに実行させるコンピュータ実行可能命令をさらに備えたことを特徴とする請求項１５に記載のコンピュータプログラム。
【請求項２３】
前記第１のオブジェクトおよび前記第２のオブジェクトは、同じ中国語の象形文字の部分であることを特徴とする請求項２２に記載のコンピュータプログラム。
【請求項２４】
前記ストライピング方向は垂直方向であることを特徴とする請求項１５に記載のコンピュータプログラム。
【請求項２５】
前記ストライピング方向は水平方向であることを特徴とする請求項１５に記載のコンピュータプログラム。
【請求項２６】
前記ディスプレイ内の前記ピクセルのすべてが、前記ストライピング方向にストライピングを有することを特徴とする請求項１５に記載のコンピュータプログラム。
【請求項２７】
前記ストライピング方向は前記実際のストライピング方向に対して直角をなすと仮定して、ピクセルサブコンポーネントベースのサンプリングを実行する前記動作は、
前記オブジェクトの表現を回転する動作と、
前記実際のストライピング方向を仮定して、前記オブジェクトの前記回転した表現に対してサブコンポーネントベースのサンプリングを実行する動作と、
前記オブジェクトの前記サンプリングされた表現を元の向きに回転する動作と
を含むことを特徴とする請求項１５に記載のコンピュータプログラム。
【請求項２８】
前記ストライピング方向は前記実際のストライピング方向に対して直角をなすと仮定して、ピクセルサブコンポーネントベースのサンプリングを実行する前記動作は、
前記サンプリングされた値をピクセルサブコンポーネントにマッピングする動作
をさらに含むことを特徴とする請求項２７に記載のコンピュータプログラム。
【請求項２９】
複数のピクセルを有するディスプレイを含むコンピューティングシステムにおいて、各ピクセルごとの複数のピクセルサブコンポーネントを含む前記ディスプレイの一部分の上にオブジェクトをレンダリングするための方法であって、前記複数のピクセルサブコンポーネントは所定の方向に沿ってストライプされ、前記オブジェクトがストライピング方向と平行な空間周波数ドミナンスを有していても、サブコンポーネントベースのサンプリングによる向上した解像度を利用する前記方法は、
前記オブジェクトが第１の方向に空間周波数ドミナンスを有すると判定する動作であって、前記第１の方向は実際のストライピング方向と平行である、判定する動作と、
前記オブジェクトの前記空間周波数ドミナンスを仮定して、前記ディスプレイ上に適切に前記オブジェクトをレンダリングするためのステップと
を備えることを特徴とする方法。
【請求項３０】
前記オブジェクトの前記空間周波数ドミナンスを仮定して、前記ディスプレイ上に適切に前記オブジェクトをレンダリングするための前記ステップは、
前記ストライピング方向は前記実際のストライピング方向に対して直角をなすと仮定して、ピクセルサブコンポーネントベースのサンプリングを実行する動作と、
少なくとも前記オブジェクトの前記サンプリングされた表現のデリバティブを、前記実際のストライピング方向を有する前記ディスプレイ上にレンダリングする動作と
を含むことを特徴とする請求項２９に記載の方法。
【請求項３１】
前記ストライピング方向は前記実際のストライピング方向に対して直角をなすと仮定して、ピクセルサブコンポーネントベースのサンプリングを実行する前記動作は、
前記オブジェクトの表現を回転する動作と、
前記実際のストライピング方向を仮定して、前記オブジェクトの前記回転した表現に対してサブコンポーネントベースのサンプリングを実行する動作と、
前記オブジェクトの前記サンプリングされた表現を元の向きに回転する動作と
を含むことを特徴とする請求項３０に記載の方法。
【請求項３２】
前記オブジェクトはテキスト文字であることを特徴とする請求項２９に記載の方法。
【請求項３３】
前記テキスト文字はラテン語ベースのテキスト文字であることを特徴とする請求項３２に記載の方法。
【請求項３４】
前記テキスト文字は中国語起源の象形文字であることを特徴とする請求項３２に記載の方法。
【請求項３５】
前記テキスト文字は中国語起源の象形文字の部首であることを特徴とする請求項３２に記載の方法。
【請求項３６】
前記オブジェクトはテキスト文字でないことを特徴とする請求項２９に記載の方法。
【請求項３７】
前記オブジェクトが第１の方向に空間周波数ドミナンスを有すると判定する前記動作は、
一連のオブジェクト群におけるオブジェクト群が前記第１の方向に空間周波数ドミナンスを有する傾向にあると判定する動作と、
前記オブジェクトは、一連のオブジェクト群における前記オブジェクト群のうちの１つであると判定する動作と
を含むことを特徴とする請求項２９に記載の方法。
【請求項３８】
前記オブジェクトは第１のオブジェクトであり、前記方法は、
前記第１のオブジェクトに隣接する、表示されることになる第２のオブジェクトが、第２の方向に空間周波数ドミナンスを有すると判定する動作であって、前記第２の方向は前記実際のストライピング方向に対して直角をなす、判定する動作と、
前記第２のオブジェクトの前記空間周波数ドミナンスを仮定して、前記ディスプレイ上に適切に前記第２のオブジェクトをレンダリングするためのステップと
をさらに備えることを特徴とする請求項２９に記載の方法。
【請求項３９】
前記第２のオブジェクトの前記空間周波数ドミナンスを仮定して、前記ディスプレイ上に適切に前記第２のオブジェクトをレンダリングするための前記ステップは、
前記ストライピング方向は前記実際のストライピング方向と平行であると仮定して、サブコンポーネントベースのサンプリングを実行する動作と、
少なくとも前記第２のオブジェクトの前記サンプリングされた表現のデリバティブを、前記実際のストライピング方向を有する前記ディスプレイ上にレンダリングする動作と
を含むことを特徴とする請求項３８に記載の方法。
【請求項４０】
前記第１のオブジェクトおよび前記第２のオブジェクトは、同じ中国語の象形文字の部分であることを特徴とする請求項３８に記載の方法。
【請求項４１】
前記ストライピング方向は垂直方向であることを特徴とする請求項２９に記載の方法。
【請求項４２】
前記ストライピング方向は水平方向であることを特徴とする請求項２９に記載の方法。
【請求項４３】
前記ディスプレイ内の前記ピクセルのすべてが、前記ストライピング方向にストライピングを有することを特徴とする請求項２９に記載の方法。